(57)【要約】【課題】犬や猫あるいはフェレットなどの四足動物（以下、動物と記す）が疾病や老衰などで自立立位や自立歩行がしづらい場合に、動物を容易に乗せられ、かつ動物の体のどの部位も拘束することなく、長時間安全に楽な姿勢を保ったまま、休息や歩行ができることにより、二次的疾病疾患を防ぎ、かつ介護者の負担を軽減することができる四足動物介護用移動式ベッドを提供する。【解決手段】四足動物が自身の力で歩行できる程度にして体を預けることができるベッド本体は、メインフレームとその上部にマットを有し、少なくとも腹部がマットの上に固定され、ベッド脚部は高さが調節可能で、しかも前輪は方向転換可能に取り付けてあり、また移動手段も講じることができ、更に動物用介護沓が着脱可能であることを特徴とする四足動物介護用移動式ベッドにより解決した。【選択図】  図１
0003141836.tif 000002
【実用新案登録請求の範囲】
【請求項１】
犬や猫あるいはフェレットなどの四足動物が、四足をグランドに着地して自身の力で歩
行できる程度にして、体を跨って預けることができるベッド本体は、所定巾を持ち、かつ
進行方向に大きさが調節可能なメインフレームと、その上部にマットを有し、該マットは
防水性と柔軟性に優れた外皮からなり、その中には弾性部材が充填されてあり、該マット
の大きさは所定巾を持ち、長さは動物の口元から股下の部分まであり、動物の症状や体型
に応じて、少なくとも腹部がマットの上に固定され、ベッド脚部は、高さが調節可能で、
しかも前輪は方向転換可能な車軸に固定された転動可能な車輪が取り付けてあることを特
徴とする四足動物介護用移動式ベッド。
【請求項２】
手押しフレームを取り付けることによって、押したり引いたりできる移動手段が講じら
れてあることを特徴とする前記請求項１記載の四足動物介護用移動式ベッド。
【請求項３】
少なくとも車輪又はメインフレームを用い、モーターにギャーやプーリーを介しスプロ
ケットなどの動力伝達装置を設け、これをリモートコントロールで行って移動できるようにしたことを特徴とする前記請求項１又は請求項２記載の四足動物介護用移動式ベッド。
【請求項４】
メインフレームに固定したクッション機能を有した支持部材に、動物用介護沓が固定さ
れてあることを特徴とする前記請求項１又は請求項２又は請求項３記載の四足動物介護用
移動式ベッド。
【考案の詳細な説明】
【技術分野】
【０００１】
本考案は犬や猫あるいはフェレットなどの四足動物（以下、動物と記す）が疾病や老衰などで、自立立位や自立歩行がしづらい場合に、体を預けたままで、休息や歩行を可能とする四足動物介護用移動式ベッドに関する。
【背景技術】
【０００２】
犬や猫あるいはフェレットなどの動物は、近年飼育環境の改善や医療技術の向上により、寿命は伸びた反面、ペットブームによる無理な繁殖や人間との緊密な生活環境により、心身の異常が増大している。
そのため、飼い主は精神的や肉体的あるいは経済的に負担が増大しており、それによって本来介護を必要とする動物の多くが、放置に近い状態に置かれざるを得ない状況が発    生しており、早急な介護問題の解決が迫られている。
この社会状況を反映して、数種類の動物介護用補助具が出てきており、代表的なものとしては、同行者が動物の歩行を助けるために、動物の体をベルトで保持する吊り上げベルトや、動物の使えなくなった足を乗せられる、車輪付きの台車などがあり、更に以下の技術も出てきている。
【特許文献１】特開２００２ー３４５３６０号公報
【特許文献２】特開２００７−７５０３５号公報  特許文献１は、歩行が困難な病犬の歩行を助ける病犬介護用歩行補助具において、下部平行脚部フレームと前・後逆Ｕ字フレームで構成する高さ調節機能を持った枠組みを作り下部に前輪キャスターと後輪を取り付け、高さ調節が出来る病犬の吊り上げベルトを持たせて、胴締め付けベルトを備えた胴輪とフレームとを長さ調節機能を持った轅で連結し、分解と組み立てが手軽に出来る病犬介護用歩行補助具が開示されている。  また、特許文献２は、自身の脚で立って生活できなくなった場合の、動物介護用ベッドにおいて、四足動物が跨って身を預けることができるベッド本体、高さ調節可能なベッド脚部、動物がベッドからのズレ落ちるのを防止する保護部とその結束具を備え、ベッド本体と保護部とベッド脚部に開口部を有し、かつ着脱自在な排泄物回収具を有する動物介護用ベッドが開示されている。
【考案の開示】
【考案が解決しようとする課題】
【０００３】
しかしながら、従来からある吊り上げベルトは、足腰の弱った動物の胴や腰を介護者がベルトで吊り上げて保持するもので、足腰へかかる力は軽減されるものの、胴や腰への負担は却って増し、また、介護者の労力も大きいという課題がある。
また同じく、従来からある車輪付き台車は、動物の前足や後ろ足に障害があって使えない場合に、障害のある足を拘束固定し、代わりに車輪を取り付けて、歩行を可能にするものであるが、拘束固定部位の血行不良などの二次疾患の発生や、動物の体全体を安定して支持できないためによる体の他の部位への負担増という課題がある。
更に、特許文献１の病犬介護用歩行補助具は、吊り上げベルトにより犬の腹部のみを吊り上げて支えるため、その部位の自由がなく、均等に動かすことができない上にその部位を圧迫して血行不良を起こしやすく、人間で言うところの床ずれになったりまた、内臓疾患がある場合は、その部位を圧迫して悪化させる可能性があって、却って体への負担や苦痛が増す場合もあり、また安定性にも欠けていた。
また、特許文献２の動物介護用ベッドは、動物が跨った姿勢のままで拘束され、歩行することも、首を左右に動かすこともできないために、長時間の使用は疾病や疾患が軽く比較的元気な動物でも、苦痛や二次疾患を招く可能性も考えられる。
以上、動物用介護補助具として取り上げた、吊り上げベルトや車輪付き台車あるいは特許文献１及び２のいずれにおいても、動物の疾病や疾患あるいは衰弱が著しい場合の使用は、症状を更に悪化させることも考えられる。
【０００４】
本考案は上記問題を解決するもので、動物が疾病や老衰などで、自立立位や自立歩行がしづらい場合に、動物を容易に乗せられ、かつ動物の体のどの部位も拘束することなく、長時間安全に楽な姿勢を保ったまま、休息や歩行ができることにより、二次的疾病疾患を防ぎ、かつ、介護者の負担を軽減することを目的とするものである。
【課題を解決するための手段】
【０００５】
本考案は上記課題を解決するために、請求項１は、犬や猫あるいはフェレットなどの四足動物が、四足をグランドに着地して、自身の力で歩行できる程度にして、体を跨って預けることができるベッド本体は、所定巾を持ち、かつ進行方向に大きさが調節可能なメインフレームと、その上部にマットを有し、該マットは防水性と柔軟性に優れた外皮からなり、その中には弾性部材が充填されてあり、該マットの大きさは所定巾を持ち、長さは動物の口元から股下の部分まであり、動物の症状や体型に応じて、少なくとも腹部がマットの上に固定され、ベッド脚部は、高さが調節可能で、しかも前輪は方向転換可能な車軸に固定された転動可能な車輪が取り付けてあることを特徴とする四足動物介護用移動式ベッドを提供するものである。
また請求項２は、手押しフレームを取り付けることによって、押したり引いたりできる移動手段が講じられてあることを特徴とする前記請求項１記載の四足動物介護用移動式ベッドを提供するものである。
また請求項３は、少なくとも車輪又はメインフレームを用い、モーターにギャーやプーリーを介しスプロケットなどの動力伝達装置を設け、これをリモートコントロールで行って移動できるようにしたことを特徴とする前記請求項１又は請求項２記載の四足動物介護用移動式ベッドを提供するものである。
更に請求項４は、メインフレームに固定した、クッション機能を有した支持部材に、動
物用介護沓が固定されてあることを特徴とする前記請求項１又は請求項２又は請求項３記
載の四足動物介護用移動式ベッドを提供するものである。
【考案の効果】
【０００６】
本考案は上記構成から成るので、以下に示す効果が期待できる。
１動物を紐や板などで拘束しないために、動物自らの足で活動でき、また、首を左右に動
かしたり、体をねじったり伸縮させたりと、動物自らが介護者なしで楽な姿勢を取るこ
とができる。
２マットとメインフレームにより、動物の体がしっかり固定されているから、動物はストレスを感じずに、長時間安全に楽な姿勢を保持できる。
３上記構成からなるので、動物に苦痛や緊張を与えることなくストレスの少ない生活をさせ、十分な休息を取らせることもできる。
４動物が自由に移動できるから、散歩やリハビリや排泄がしやすく、動物と介護関係者に負担が少ない。
５動物を乗せたり降ろしたりし易いため、動物と介護関係者に負担が少ない。
６介護関係者が該ベッドを押したり引いたり、リモコンで操作したりなどして、動物を楽に移動させることができる。
７動物用介護沓を取り付けることにより、使えない足を楽に安定・保護して、動物の苦痛と負担を軽減させ、かつリハビリにも活用できる。
８無拘束で、かつマットと動物用介護沓が防水性のため、排泄後処理やシャンプーや治療
がし易いので、動物自身が健全に保たれ易く、動物と介護関係者に負担が少ない。
９部位の位置調整や交換あるいは追加などが容易で、使い勝手がよく、汎用性がある。
【考案を実施するための最良の形態】
【０００７】
以下、本考案の四足動物介護用移動式ベッド１の実施の形態を図面に基づいて説明する。    
まず、考案の１について説明する。
図１〜図７に示すように、ベッド本体２のメインフレーム３の形状は、動物４が四足をグランドに着地して活動できる十分なスペースと高さが設けてあり、該メインフレーム３の大きさは、各四足動物の標準体型の最低巾を基準とした所定巾を持ち、動物４の個体差に合わせて進行方向に大きさが調節可能で、その調節方法は支持台９とナット１０に固定されたネジ８の先端ハンドル１１を回すことにより、メインフレーム後部５ｂに固定したスライド板カバー７の中にメインフレーム前部５ａに固定したスライド板６を移動させて行う。メインフレーム３の構成素材は、合成樹脂や炭素繊維あるいはアルミニウムなどの軽量かつ耐水性の優れた材料を用いる。
尚、メインフレーム３は板状のものに限らず、炭素繊維や軽量アルミあるいはスチールなどを素材とするパイプやフラットバーなどで骨組みや成型作成したものを使用することもできる。
【０００８】
マット１２は、防水性と柔軟性に優れた軟質樹脂や塩化ビニールあるいはシリコンゴムなどの素材の外皮からなり、内部にポリエステル綿やジェルあるいは空気などを素材とする弾性部材が充填されており、該マット１２の大きさは、各四足動物の標準体型の最低巾を基準とした所定巾を持ち、長さは動物４の口元から股下の部分までの間で、動物４の症状や体型に応じて少なくとも腹部を必要に応じて載置し、メインフレーム３にテープ１３やボタンなどの固着部材などで固定し、動物４が跨って体を預けると、体重による歪と共にマット１２の窪みに動物４の体がしっかり固定される。尚、マット１２の外皮は動物４の皮膚に刺激を与えず、また皮膚を傷めない工夫をすることが好ましい。
また、マット１２は動物４の個体差に応じて数種類作成し、メインフレーム３にテープ１３やボタンなどの固着部材などで着脱可能にしたりして、メインフレーム３の大きさ調節機能との併用で個体差に対応することもできる。
マット１２後部下のスプリング１４は、動物４が跨った時に後部にずり落ちないように安定・安全のために、スプリング１４の力を借りて下から持ち上げるようにして設けてもよい。
動物４の排泄物・嘔吐・よだれ・出血・膿などによる汚れを防止するためには、公知の排泄物吸収シート１５をマット１２の必要箇所にテープなどで着脱可能にしてもよい。
尚、動物４の症状などの状況によっては、該マットを用いず、メインフレーム３に温熱や冷却の効果を有する公知の敷物などを敷いて動物４を乗せたり、あるいは  メインフレーム３に直接動物４を乗せたりしてもよい。
【０００９】
更に、動物４の目や耳が衰えた場合に、自立歩行時の障害物への衝突防止用として、メインフレーム３の先端や外周などに緩衝部材１６ａや１６ｂあるいは１６ｃを金具やテープなどの固着部材などで着脱可能にしてもよく、緩衝部材１６ａ、１６ｂ、１６ｃの素材は合成ゴムや発泡ウレタンあるいは発泡スチロールなどを用いる。また同様の目的で、ステンレスや炭素繊維あるいは合金などを素材とした弓形のバンパーを、ボルトナットなどの止め具でメインフレーム３に取り付けてもよい。
【００１０】
サイドフレーム１７は、動物４の横ずれや落下を防止するためのものである。通常、動物４の腹部は体重による歪と共にマット１２の窪みにしっかり固定されているが、動物４が万一突発的な動きをした時のために、より安定性・安全性を高める目的で、動物４の体の側面を支えるサイドフレーム１７を用いることができる。サイドフレーム１７は、炭素繊維や合成樹脂あるいは軽量アルミなどを素材として、成型作成することが好ましい。
サイドフレーム１７の取付方法は、まずサイドフレーム１７の進行方向の長さ調節を、逆ネジを切ってカバーを被せた長さ調節ナット１８を握って右廻り左廻りに回すことにより行い、次にサイドフレーム取付カラー１９にサイドフレーム１７の先端を差し込み、サイドフレーム１７の先端にある複数の取付穴の適当なものを、サイドフレーム取付カラー１９の上と下の位置に穿設された穴に合わせ、ビスなどの止め具２０で固定して高さを調節することができる。
尚、サイドフレーム１７を利用して、公知の物入れ袋や糞処理器などを取り付けることも可能である。
【００１１】
ベッド脚部２１ａの垂直軸２３ａには、複数段の取付溝が形成されており、適当な高さの位置にビスやボルトなどの止め具２４ａで固定して、進行方向に動物４が自由な方向に進むことができるように、前輪車輪２２ａが転動可能になっており、ベッド脚部２１ｂの垂直軸２３ｂには、複数の取付穴が形成されており、適当な高さの位置にビスやボルトなどの止め具２４ｂで固定して、後輪車輪２２ｂが前輪車輪２２ａの動きに従って動く。
尚、ベッド脚部２１ａ、２１ｂを固定させて使いたい場合は、前輪車輪２２ａや後輪車輪２２ｂにストッパーをしたり、前輪車輪２２ａや後輪車輪２２ｂに車輪固定具２５をかませたり、また垂直軸２３ａ、２３ｂと前輪車輪２２ａや後輪車輪２２ｂの代わりに棒状のベット脚を取り付けたりなどすることもできる。
【００１２】
次に、考案の２について以下説明する。
図１〜図７に示すように、該四足動物介護用移動式ベッド１は手押しフレーム２６を介護者が押したり引いたりして該ベッドを移動させることができる。手押しフレーム２６の取付方法は、手押しフレーム２６先端の取付穴を、押す時は取付板２７ｂに、引く時は取付板２７ａにボルトやスナップリングなどの止め具２８で固定する。手押しフレーム２６の角度調節方法は、介護者が押し易い位置に合わせて、取付板２７ａ、２７ｂの外周に角度調節穴３０を複数穿設し、スプリングを介した角度調節ピン２９を移動しながら角度調節穴３０に出し入れしたり、蝶ネジを用いて角度調節穴３０に固定したりして行うことができる。手押しフレーム２６の素材は、炭素繊維や軽量アルミあるいは合成樹脂などを用いる。
尚、手押しフレーム２６を利用して、ベビーカーに用いられている公知の雨よけカバーや日よけカバーを、ベビーカーと同様に装着することも可能である。
【００１３】
また、考案の３について以下説明する。
図２〜図７に示すように、該四足動物介護用移動式ベッド１は介護者が付き添っていなくても移動させることができる手段として、後輪車輪２２ｂにモーター３１とギャーやプーリーあるいはスプロケットなどの動力伝達装置３２を設けたり、また、前輪駆動にするためには、前輪車輪２２ａに同様にモーター３１とギャーやプーリーあるいはスプロケットなどの動力伝達装置３２を設けたりして、電源に電波を介してリモートコントロールで操作したり、ケーブルを介して操作することもできる。その移動速度は、１分間に５ｍから１０ｍほどの速さで行うことができる。尚、メインフレーム３にモーター３１を固定する場合は、ギャーやプーリーを介しスプロケットなどで前輪車輪２２ａ又は後輪車輪２２ｂに動力伝達してもよい。
リモートコントローラーには、前進と後進あるいは右廻りか左廻り、そして停止の機能を持たせる。詳しくは、前輪車輪２２ａ又は後輪車輪２２ｂの車軸には、マグネットクラッチなどが装備され、左右の車輪が個別に作動でき、右廻りの場合には、左の車輪が停止し、逆に左周りの場合には、右の車輪が停止することで、その走行が可能となる。これらすべてリモートコントロールによる作動操作で行える仕組みで作られている。
【００１４】
更に、考案の４について以下説明する。
図２〜図７に示すように、該四足動物介護用移動式ベッド１は動物４の前足や後ろ足が使えない場合に、リハビリや療養あるいは保全安定のために、動物用介護沓３３を動物４の症状に応じて着脱可能に取り付けることができる。動物用介護沓３３の形状は、動物４の足先が無拘束かつ安全に保護安定できる十分なスペースと深さがあり、その素材は外側部分には防水性のある合成ゴムや合成皮革あるいはシリコンゴムなどを用い、内側部分には弾性や断熱あるいは保温などの効果を兼ね備えたポリエステル綿や発泡スチロールあるいは超極小ビーズなどを用いることもできる。また、動物用介護沓３３は、防錆加工の軽量アルミニウムや軽量合金あるいは炭素繊維などを素材とする動物用介護沓設置台３４に、テープや金具あるいはベルトなどの固定部材を用いて着脱可能に取り付け、更に、動物用介護沓設置台３４前部と支持部材３６との間には、板バネを用いた蝶番３８を固定して、クッション機能を持たせることにより、移動時の動物用介護沓３３の振動を緩和するようにしてもよい。尚、動物用介護沓３３には車輪３５を取り付けることもできる。
動物用介護沓３３のメインフレーム３への取付方法は、まず長さ調節ナット３７を用いて上下の高さを調節し、次に支持部材３６の先端の位置調節穴４０ａ及び位置調節穴４０ｂをメインフレーム前部５ａの支持部材取付穴３９ａや３９ｂあるいは３９ｃ、又はメインフレーム後部５ｂの支持部材取付穴３９ｄ、３９ｅ、３９ｆに合わせ、スプリングワッシャーやゴムワッシャーなどを介して、ボルトナットやビスなどで固定してもよい。支持部材の素材は、防錆加工の軽量アルミニウムや軽量合金あるいは炭素繊維などを用いる。
【００１５】
尚、本考案について上記説明したが、本図が示した取付状態において、ここに示した状態に具体的に限定されるものではない。
【実施例】
【００１６】
ほとんど寝たきりに近い状態の動物でも、寝たままの姿勢が続くと、体を動かしたがり、特に排泄時などは立ち上がろうともがいて、自ら傷つけてしまったり、体力を消耗したりする。このように立ち上がりたがる動物を、本考案のベッドに乗せ、動物の欲求に応える    ことは大きな利点があり、動物のストレスを減らすだけでなく、二次疾患や血行障害の予防、更にはリハビリをも兼ねることができる。
【００１７】
室内で本考案の四足動物介護用移動式ベッドを使用する場合は、まず介護者が動物を少し持ち上げて該ベッドに乗せるだけでよい。車輪をストッパーや車輪固定具などで固定して該ベッドを動かないようにすれば、動物は体のどの部位も拘束することなく、マットの窪みに体を楽にしっかり預けたままで、安全に休息や睡眠をとることができ、また車輪を転動させれば、動物は体を該ベッドに預けたままで、自ら自由に歩行できる。この時必要に応じて、サイドフレームや手押しフレームあるいは動物用介護沓を装着して利用することができる。
介護者は動物の動きを見守るだけでよく、動物の体を支える必要がないから、介護者も負担が軽減される。更に、モーターと動力伝達装置とリモコンを使用すれば、介護者が遠隔で該ベッドを移動させることもできる。
また、動物の目や耳が不自由な場合は、障害物に衝突しないための緩衝部材があるので事故を防止でき、更に動物が痴呆になった場合は、方向感覚が分からなくなって物にぶつかったり、自分を中心に旋廻運動を続けたり、前進しかできず後退や直角に曲がることができなくて狭い所に入って抜け出せなくなったり、という問題行動を起こすことがあるが、該ベッドに乗せて安全に動けるようにすることで、動物と介護者の両方の負担を軽減できる。
【００１８】
屋外での散歩の場合も室内と同様に該ベッドに動物を乗せ、手押しフレームを装着したり、モーターと動力伝達装置とリモコンを使用したりして、介護者が動物の歩行の補助をすることができる。この時も必要に応じて、サイドフレームや動物用介護沓を利用してもよい。また排泄時は、介護者が動物の体を軽く後ろにずらしてやるだけで、体半分はベッ
ドに乗せたままでも排泄させることができるので、動物と介護者の両方の負担を軽減    できる。
【００１９】
該ベッドは動物が無拘束であり、またマットと動物用介護沓が防水性のため、動物の排泄物・嘔吐・よだれ・出血・膿などによる汚れを洗浄し易く、更にシャンプーや治療も動物を該ベッドに乗せたまま行える利点があり、動物自身が健全に保たれやすく、動物と介護者あるいは獣医療関係者などの負担を軽減できる。
【産業上の利用可能性】
【００２０】
四足動物全般の医療や介護に利用できる。
【図面の簡単な説明】
【００２１】
【図１】本考案の使用状態図である。
【図２】本考案の実施形態を示した斜視図である。
【図３】本考案からマットを除いた平面図である。
【図４】本考案からマットを除いた正面図である。
【図５】本考案からマットを除いた底面図である。
【図６】本考案からマットを除いた前面図である。
【図７】本考案からマットを除いた後面図である。
【符号の説明】
【００２２】
１    四足動物介護用移動式ベッド
２    ベッド本体
３    メインフレーム
４    動物
５ａ  メインフレーム前部
５ｂ  メインフレーム後部
６    スライド板
７    スライド板カバー
８    ネジ
９    支持台
１０  ナット
１１  ハンドル
１２  マット
１３  テープ
１４  スプリング
１５  排泄物吸収シート
１６ａ、１６ｂ、１６ｃ  緩衝部材
１７  サイドフレーム
１８  長さ調節ナット
１９  サイドフレーム取付カラー
２０  止め具
２１ａ、２１ｂ  ベッド脚部
２２ａ  前輪車輪
２２ｂ  後輪車輪
２３ａ、２３ｂ  垂直軸
２４ａ、２４ｂ  止め具
２５  車輪固定具
２６  手押しフレーム
２７ａ、２７ｂ  取付板
２８  止め具
２９  角度調節ピン
３０  角度調節穴
３１  モーター
３２  動力伝達装置
３３  動物用介護沓
３４  動物用介護沓設置台
３５  車輪  
３６  支持部材
３７  長さ調節ナット
３８  蝶番
３９ａ、３９ｂ、３９ｃ、３９ｄ、３９ｅ、３９ｆ  支持部材取付穴
４０ａ、４０ｂ  位置調節穴      
【図１】
0003141836.tif 000003
【図２】
0003141836.tif 000004
【図３】
0003141836.tif 000005
【図４】
0003141836.tif 000006
【図５】
0003141836.tif 000007
【図６】
0003141836.tif 000008
【図７】
0003141836.tif 000009
【手続補正書】
【提出日】平成20年3月7日(2008.3.7)
【手続補正１】
【補正対象書類名】明細書
【補正対象項目名】全文
【補正方法】変更
【補正の内容】
【考案の詳細な説明】
【技術分野】
【０００１】
本考案は犬や猫あるいはフェレットなどの四足動物（以下、動物と記す）が疾病や老衰などで、自立立位や自立歩行がしづらい場合に、体を預けたままで、休息や歩行を可能とする四足動物介護用移動式ベッドに関する。
【背景技術】
【０００２】
犬や猫あるいはフェレットなどの動物は近年飼育環境の改善や医療技術の向上により、寿命は伸びた反面、ペットブームによる無理な繁殖や人間との緊密な生活環境により、心身の異常が増大している。
そのため、飼い主は精神的や肉体的あるいは経済的に負担が増大しており、それによって本来介護を必要とする動物の多くが、放置に近い状態に置かれざるを得ない状況が発    生しており、早急な介護問題の解決が迫られている。
この社会状況を反映して、数種類の動物介護用補助具が出てきており、代表的なものとしては、同行者が動物の歩行を助けるために、動物の体をベルトで保持する吊り上げベルトや、動物の使えなくなった足を乗せられる、車輪付きの台車などがあり、更に以下の技術も出てきている。
【特許文献１】特開２００２ー３４５３６０号公報
【特許文献２】特開２００７−７５０３５号公報   特許文献１は、歩行が困難な病犬の歩行を助ける病犬介護用歩行補助具において、下部平行脚部フレームと前・後逆Ｕ字フレームで構成する高さ調節機能を持った枠組みを作り下部に前輪キャスターと後輪を取り付け、高さ調節が出来る病犬の吊り上げベルトを持たせて、胴締め付けベルトを備えた胴輪とフレームとを長さ調節機能を持った轅で連結し、分解と組み立てが手軽に出来る病犬介護用歩行補助具が開示されている。  また、特許文献２は、自身の脚で立って生活できなくなった場合の、動物介護用ベッドにおいて、四足動物が跨って身を預けることができるベッド本体、高さ調節可能なベッド脚部、動物がベッドからのズレ落ちるのを防止する保護部とその結束具を備え、ベッド本体と保護部とベッド脚部に開口部を有し、かつ着脱自在な排泄物回収具を有する動物介護用ベッドが開示されている。
【考案の開示】
【考案が解決しようとする課題】
【０００３】
しかしながら、従来からある吊り上げベルトは、足腰の弱った動物の胴や腰を介護者がベルトで吊り上げて保持するもので、足腰へかかる力は軽減されるものの、胴や腰への負担は却って増し、また、介護者の労力も大きいという課題がある。
また同じく、従来からある車輪付き台車は、動物の前足や後ろ足に障害があって使えない場合に、障害のある足を拘束固定し、代わりに車輪を取り付けて、歩行を可能にするものであるが、拘束固定部位の血行不良などの二次疾患の発生や、動物の体全体を安定して支持できないためによる体の他の部位への負担増という課題がある。
更に、特許文献１の病犬介護用歩行補助具は、吊り上げベルトにより犬の腹部のみを吊り上げて支えるため、その部位の自由がなく、均等に動かすことができない上にその部位を圧迫して血行不良を起こしやすく、人間で言うところの床ずれになったりまた、内臓疾患がある場合は、その部位を圧迫して悪化させる可能性があって、却って体への負担や苦痛が増す場合もあり、また安定性にも欠けていた。
また、特許文献２の動物介護用ベッドは、動物が跨った姿勢のままで拘束され、歩行することも、首を左右に動かすこともできないために、長時間の使用は疾病や疾患が軽く比較的元気な動物でも、苦痛や二次疾患を招く可能性も考えられる。
以上、動物用介護補助具として取り上げた、吊り上げベルトや車輪付き台車あるいは特許文献１及び２のいずれにおいても、動物の疾病や疾患あるいは衰弱が著しい場合の使用は、症状を更に悪化させることも考えられる。
【０００４】
本考案は上記問題を解決するもので、動物が疾病や老衰などで、自立立位や自立歩行がしづらい場合に、動物を容易に乗せられ、かつ動物の体のどの部位も拘束することなく、長時間安全に楽な姿勢を保ったまま、休息や歩行ができることにより、二次的疾病疾患を防ぎ、かつ、介護者の負担を軽減することを目的とするものである。
【課題を解決するための手段】
【０００５】
本考案は上記課題を解決するために、請求項１は、犬や猫あるいはフェレットなどの四足動物が、四足をグランドに着地して、自身の力で歩行できる程度にして、体を跨って預けることができるベッド本体は、所定巾を持ち、かつ進行方向に大きさが調節可能なメインフレームと、その上部にマットを有し、該マットは防水性と柔軟性に優れた外皮からなり、その中には弾性部材が充填されてあり、該マットの大きさは所定巾を持ち、長さは動物の口元から股下の部分まであり、動物の症状や体型に応じて、少なくとも腹部がマットの上に固定され、ベッド脚部は、高さが調節可能で、しかも前輪は方向転換可能な車軸に固定された転動可能な車輪が取り付けてあることを特徴とする四足動物介護用移動式ベッドを提供するものである。
また請求項２は、手押しフレームを取り付けることによって、押したり引いたりできる移動手段が講じられてあることを特徴とする前記請求項１記載の四足動物介護用移動式ベッドを提供するものである。
また請求項３は、少なくとも車輪又はメインフレームを用い、モーターにギャーやプーリーを介しスプロケットなどの動力伝達装置を設け、これをリモートコントロールで行って移動できるようにしたことを特徴とする前記請求項１又は請求項２記載の四足動物介護用移動式ベッドを提供するものである。
更に請求項４は、メインフレームに固定した、クッション機能を有した支持部材に、動
物用介護沓が固定されてあることを特徴とする前記請求項１又は請求項２又は請求項３記
載の四足動物介護用移動式ベッドを提供するものである。
【考案の効果】
【０００６】
本考案は上記構成から成るので、以下に示す効果が期待できる。
１動物を紐や板などで拘束しないために、動物自らの足で活動でき、また、首を左右に動
かしたり、体をねじったり伸縮させたりと、動物自らが介護者なしで楽な姿勢を取るこ
とができる。
２マットとメインフレームにより、動物の体がしっかり固定されているから、動物はスト  レスを感じずに、長時間安全に楽な姿勢を保持できる。
３上記構成からなるので、動物に苦痛や緊張を与えることなくストレスの少ない生活をさ  せ、十分な休息を取らせることもできる。
４動物が自由に移動できるから、散歩やリハビリや排泄がしやすく、動物と介護関係者に  負担が少ない。
５動物を乗せたり降ろしたりし易いため、動物と介護関係者に負担が少ない。
６介護関係者が該ベッドを押したり引いたり、リモコンで操作したりなどして、動物を楽  に移動させることができる。
７動物用介護沓を取り付けることにより、使えない足を楽に安定・保護して、動物の苦痛  と負担を軽減させ、かつリハビリにも活用できる。
８無拘束で、かつマットと動物用介護沓が防水性のため、排泄後処理やシャンプーや治療
がし易いので、動物自身が健全に保たれ易く、動物と介護関係者に負担が少ない。
９部位の位置調整や交換あるいは追加などが容易で、使い勝手がよく、汎用性がある。
【考案を実施するための最良の形態】
【０００７】
以下、本考案の四足動物介護用移動式ベッド１の、実施の形態を図面に基づいて説明する。    
まず、考案の１について説明する。
図１〜図７に示すように、ベッド本体２のメインフレーム３の形状は、動物４が四足をグランドに着地して活動できる十分なスペースと高さが設けてあり、該メインフレーム３の大きさは、各四足動物の標準体型の最低巾を基準とした所定巾を持ち、動物４の個体差に合わせて進行方向に大きさが調節可能で、その調節方法は支持台９とナット１０に固定されたネジ８の先端ハンドル１１を回すことにより、メインフレーム後部５ｂに固定したスライド板カバー７の中にメインフレーム前部５ａに固定したスライド板６を移動させて行う。メインフレーム３の構成素材は、合成樹脂や炭素繊維あるいはアルミニウムなどの軽量かつ耐水性の優れた材料を用いる。
尚、メインフレーム３は板状のものに限らず、炭素繊維や軽量アルミあるいはスチールなどを素材とするパイプやフラットバーなどで骨組みや成型作成したものを使用することもできる。
【０００８】
マット１２は、防水性と柔軟性に優れた軟質樹脂や塩化ビニールあるいはシリコンゴムなどの素材の外皮からなり、内部にポリエステル綿やジェルあるいは空気などを素材とする弾性部材が充填されており、該マット１２の大きさは、各四足動物の標準体型の最低巾を基準とした所定巾を持ち、長さは動物４の口元から股下の部分までの間で、動物４の症状や体型に応じて少なくとも腹部を必要に応じて載置し、メインフレーム３にテープ１３やボタンなどの固着部材などで固定し、動物４が跨って体を預けると、体重による歪と共にマット１２の窪みに動物４の体がしっかり固定される。尚、マット１２の外皮は動物４の皮膚に刺激を与えず、また皮膚を傷めない工夫をすることが好ましい。
また、マット１２は動物４の個体差に応じて数種類作成し、メインフレーム３にテープ１３やボタンなどの固着部材などで着脱可能にしたりして、メインフレーム３の大きさ調節機能との併用で個体差に対応することもできる。
マット１２後部下のスプリング１４は、動物４が跨った時に後部にずり落ちないように安定・安全のために、スプリング１４の力を借りて下から持ち上げるようにして設けてもよい。
動物４の排泄物・嘔吐・よだれ・出血・膿などによる汚れを防止するためには、公知の排泄物吸収シート１５をマット１２の必要箇所にテープなどで着脱可能にしてもよい。
尚、動物４の症状などの状況によっては、該マットを用いず、メインフレーム３に温熱や冷却の効果を有する公知の敷物などを敷いて動物４を乗せたり、あるいは  メインフレーム３に直接動物４を乗せたりしてもよい。
【０００９】
更に、動物４の目や耳が衰えた場合に、自立歩行時の障害物への衝突防止用として、メインフレーム３の先端や外周などに緩衝部材１６ａや１６ｂあるいは１６ｃを金具やテープなどの固着部材などで着脱可能にしてもよく、緩衝部材１６ａ、１６ｂ、１６ｃの素材は合成ゴムや発泡ウレタンあるいは発泡スチロールなどを用いる。また同様の目的で、ステンレスや炭素繊維あるいは合金などを素材とした弓形のバンパーを、ボルトナットなどの止め具でメインフレーム３に取り付けてもよい。
【００１０】
サイドフレーム１７は、動物４の横ずれや落下を防止するためのものである。通常、動物４の腹部は体重による歪と共にマット１２の窪みにしっかり固定されているが、動物４が万一突発的な動きをした時のために、より安定性・安全性を高める目的で、動物４の体の側面を支えるサイドフレーム１７を用いることができる。サイドフレーム１７は、炭素繊維や合成樹脂あるいは軽量アルミなどを素材として、成型作成することが好ましい。
サイドフレーム１７の取付方法は、まずサイドフレーム１７の進行方向の長さ調節を、逆ネジを切ってカバーを被せた長さ調節ナット１８を握って右廻り左廻りに回すことにより行い、次にサイドフレーム取付カラー１９にサイドフレーム１７の先端を差し込み、サイドフレーム１７の先端にある複数の取付穴の適当なものを、サイドフレーム取付カラー１９の上と下の位置に穿設された穴に合わせ、ビスなどの止め具２０で固定して高さを調節することができる。
尚、サイドフレーム１７を利用して、公知の物入れ袋や糞処理器などを取り付けることも可能である。
【００１１】
ベッド脚部２１ａの垂直軸２３ａには、複数段の取付溝が形成されており、適当な高さの位置にビスやボルトなどの止め具２４ａで固定して、進行方向に動物４が自由な方向に進むことができるように、前輪車輪２２ａが転動可能になっており、ベッド脚部２１ｂの垂直軸２３ｂには、複数の取付穴が形成されており、適当な高さの位置にビスやボルトなどの止め具２４ｂで固定して、後輪車輪２２ｂが前輪車輪２２ａの動きに従って動く。
尚、ベッド脚部２１ａ、２１ｂを固定させて使いたい場合は、前輪車輪２２ａや後輪車輪２２ｂにストッパーをしたり、前輪車輪２２ａや後輪車輪２２ｂに車輪固定具２５をかませたり、また垂直軸２３ａ、２３ｂと前輪車輪２２ａや後輪車輪２２ｂの代わりに棒状のベット脚を取り付けたりなどすることもできる。
【００１２】
次に、考案の２について以下説明する。
図１〜図７に示すように、該四足動物介護用移動式ベッド１は手押しフレーム２６を介護者が押したり引いたりして該ベッドを移動させることができる。手押しフレーム２６の取付方法は、手押しフレーム２６先端の取付穴を、押す時は取付板２７ｂに、引く時は取付板２７ａにボルトやスナップリングなどの止め具２８で固定する。手押しフレーム２６の角度調節方法は、介護者が押し易い位置に合わせて、取付板２７ａ、２７ｂの外周に角度調節穴３０を複数穿設し、スプリングを介した角度調節ピン２９を移動しながら角度調節穴３０に出し入れしたり、蝶ネジを用いて角度調節穴３０に固定したりして行うことができる。手押しフレーム２６の素材は、炭素繊維や軽量アルミあるいは合成樹脂などを用いる。
尚、手押しフレーム２６を利用して、ベビーカーに用いられている公知の雨よけカバーや日よけカバーを、ベビーカーと同様に装着することも可能である。
【００１３】
また、考案の３について以下説明する。
図２〜図７に示すように、該四足動物介護用移動式ベッド１は介護者が付き添っていなくても移動させることができる手段として、後輪車輪２２ｂにモーター３１とギャーやプーリーあるいはスプロケットなどの動力伝達装置３２を設けたり、また、前輪駆動にするためには、前輪車輪２２ａに同様にモーター３１とギャーやプーリーあるいはスプロケットなどの動力伝達装置３２を設けたりして、電源に電波を介してリモートコントロールで操作したり、ケーブルを介して操作することもできる。その移動速度は、１分間に５ｍから１０ｍほどの速さで行うことができる。尚、メインフレーム３にモーター３１を固定する場合は、ギャーやプーリーを介しスプロケットなどで前輪車輪２２ａ又は後輪車輪２２ｂに動力伝達してもよい。
リモートコントローラーには、前進と後進あるいは右廻りか左廻り、そして停止の機能を持たせる。詳しくは、前輪車輪２２ａ又は後輪車輪２２ｂの車軸には、マグネットクラッチなどが装備され、左右の車輪が個別に作動でき、右廻りの場合には、左の車輪が停止し、逆に左周りの場合には、右の車輪が停止することで、その走行が可能となる。これらすべてリモートコントロールによる作動操作で行える仕組みで作られている。
【００１４】
更に、考案の４について以下説明する。
図２〜図７に示すように、該四足動物介護用移動式ベッド１は動物４の前足や後ろ足が使えない場合に、リハビリや療養あるいは保全安定のために、動物用介護沓３３を動物４の症状に応じて着脱可能に取り付けることができる。動物用介護沓３３の形状は、動物４の足先が無拘束かつ安全に保護安定できる十分なスペースと深さがあり、その素材は外側部分には防水性のある合成ゴムや合成皮革あるいはシリコンゴムなどを用い、内側部分には弾性や断熱あるいは保温などの効果を兼ね備えたポリエステル綿や発泡スチロールあるいは超極小ビーズなどを用いることもできる。また、動物用介護沓３３は防錆加工の軽量アルミニウムや軽量合金あるいは炭素繊維などを素材とする動物用介護沓設置台３４に、テープや金具あるいはベルトなどの固定部材を用いて着脱可能に取り付け、更に、動物用介護沓設置台３４前部と支持部材３６との間には、板バネを用いた蝶番３８を固定して、クッション機能を持たせることにより、移動時の動物用介護沓３３の振動を緩和するようにしてもよい。尚、動物用介護沓３３には車輪３５を取り付けることもできる。
動物用介護沓３３のメインフレーム３への取付方法は、まず長さ調節ナット３７を用いて上下の高さを調節し、次に支持部材３６の先端の位置調節穴４０ａ及び位置調節穴４０ｂをメインフレーム前部５ａの支持部材取付穴３９ａや３９ｂあるいは３９ｃ、又はメインフレーム後部５ｂの支持部材取付穴３９ｄ、３９ｅ、３９ｆに合わせ、スプリングワッシャーやゴムワッシャーなどを介して、ボルトナットやビスなどで固定してもよい。支持部材の素材は、防錆加工の軽量アルミニウムや軽量合金あるいは炭素繊維などを用いる。
【００１５】
尚、本考案について上記説明したが、本図が示した取付状態において、ここに示した状態に具体的に限定されるものではない。
【実施例】
【００１６】
ほとんど寝たきりに近い状態の動物でも、寝たままの姿勢が続くと体を動かしたがり、特に排泄時などは立ち上がろうともがいて、自ら傷つけてしまったり、体力を消耗したりする。このように立ち上がりたがる動物を、本考案のベッドに乗せ、動物の欲求に応えることは大きな利点があり、動物のストレスを減らすだけでなく、二次疾患や血行障害の予防、更にはリハビリをも兼ねることができる。
【００１７】
室内で本考案の四足動物介護用移動式ベッドを使用する場合は、まず介護者が動物を少し持ち上げて該ベッドに乗せるだけでよい。車輪をストッパーや車輪固定具などで固定して該ベッドを動かないようにすれば、動物は体のどの部位も拘束することなく、マットの窪みに体を楽にしっかり預けたままで、安全に休息や睡眠をとることができ、また車輪を転動させれば、動物は体を該ベッドに預けたままで、自ら自由に歩行できる。この時必要に応じて、サイドフレームや手押しフレームあるいは動物用介護沓を装着して利用することができる。
介護者は動物の動きを見守るだけでよく、動物の体を支える必要がないから、介護者も負担が軽減される。更に、モーターと動力伝達装置とリモコンを使用すれば、介護者が遠隔で該ベッドを移動させることもできる。
また、動物の目や耳が不自由な場合は障害物に衝突しないための緩衝部材があるので事故を防止でき、更に動物が痴呆になった場合は、方向感覚が分からなくなって物にぶつかったり、自分を中心に旋廻運動を続けたり、前進しかできず後退や直角に曲がることができなくて狭い所に入って抜け出せなくなったり、という問題行動を起こすことがあるが、該ベッドに乗せて安全に動けるようにすることで、動物と介護者の両方の負担を軽減できる。
【００１８】
屋外での散歩の場合も室内と同様に該ベッドに動物を乗せ、手押しフレームを装着したり、モーターと動力伝達装置とリモコンを使用したりして、介護者が動物の歩行の補助をすることができる。この時も必要に応じて、サイドフレームや動物用介護沓を利用してもよい。また排泄時は、介護者が動物の体を軽く後ろにずらしてやるだけで、体半分はベッ
ドに乗せたままでも排泄させることができるので、動物と介護者の両方の負担を軽減できる。
【００１９】
該ベッドは動物が無拘束であり、またマットと動物用介護沓が防水性のため、動物の排泄物・嘔吐・よだれ・出血・膿などによる汚れを洗浄し易く、更にシャンプーや治療も動物を該ベッドに乗せたまま行える利点があり、動物自身が健全に保たれやすく、動物と介護者あるいは獣医療関係者などの負担を軽減できる。
【産業上の利用可能性】
【００２０】
四足動物全般の医療や介護に利用できる。
【図面の簡単な説明】
【００２１】
【図１】本考案の使用状態図である。
【図２】本考案の実施形態を示した斜視図である。
【図３】本考案からマットを除いた平面図である。
【図４】本考案からマットを除いた正面図である。
【図５】本考案からマットを除いた底面図である。
【図６】本考案からマットを除いた前面図である。
【図７】本考案からマットを除いた後面図である。
【符号の説明】
【００２２】
１    四足動物介護用移動式ベッド
２    ベッド本体
３    メインフレーム
４    動物
５ａ  メインフレーム前部
５ｂ  メインフレーム後部
６    スライド板
７    スライド板カバー
８    ネジ
９    支持台
１０  ナット
１１  ハンドル
１２  マット
１３  テープ
１４  スプリング
１５  排泄物吸収シート
１６ａ、１６ｂ、１６ｃ  緩衝部材
１７  サイドフレーム
１８  長さ調節ナット
１９  サイドフレーム取付カラー
２０  止め具
２１ａ、２１ｂ  ベッド脚部
２２ａ  前輪車輪
２２ｂ  後輪車輪
２３ａ、２３ｂ  垂直軸
２４ａ、２４ｂ  止め具
２５  車輪固定具
２６  手押しフレーム
２７ａ、２７ｂ  取付板
２８  止め具
２９  角度調節ピン
３０  角度調節穴
３１  モーター
３２  動力伝達装置
３３  動物用介護沓
３４  動物用介護沓設置台
３５  車輪  
３６  支持部材
３７  長さ調節ナット
３８  蝶番
３９ａ、３９ｂ、３９ｃ、３９ｄ、３９ｅ、３９ｆ  支持部材取付穴
４０ａ、４０ｂ  位置調節穴